(57)【要約】  【課題】  本発明は、その光電変換特性において線形変換特性と対数変換特性とが自動的に切り替わる固体撮像素子を備えるとき、いずれの特性により出力される信号に対しても簡単な演算処理でホワイトバランス処理を行うことができる撮像装置を提供することを目的とする。  【解決手段】  ＲＧＢ信号それぞれの光電変換特性が同一の輝度値で切り替わるように、太陽光やタングステン光などの撮影環境に応じて、ＲＧＢフィルタそれぞれが設けられた画素の動作特性を切り換える。【選択図】      図１６
2005086684.tif 000002
【特許請求の範囲】
【請求項１】
入射光量に対して線形的に変化する電気信号を出力する第１状態と入射光量に対して自然対数的に変化する電気信号を出力する第２状態との間で切換可能な画素を備えるとともに複数種類の色フィルタが設けられた固体撮像素子と、該固体撮像素子から出力される前記色フィルタの種類毎の色信号に対してホワイトバランス処理を行うホワイトバランス回路と、を備える撮像装置において、
前記複数種類の色信号の１つを基準となる第１色信号とし、該基準色信号以外の色信号を第２色信号としたとき、
前記固体撮像素子において、
前記第１色信号を出力する画素と前記第２色信号を出力する画素とが、前記第１状態と前記第２状態との切換点を同一の輝度値とし、
前記ホワイトバランス回路において、
前記第２色信号の種類毎に、当該第２色信号の前記第１状態と前記第２状態との切換点となる輝度値に対する信号レベルを閾値レベルとして設定し、
当該閾値レベルに基づいて前記第２色信号の光電変換特性が前記第１状態による線形変換特性又は前記第２状態による対数変換特性のいずれであるか識別し、
識別した光電変換特性に応じて、前記第２色信号にホワイトバランス処理を施すことを特徴とする撮像装置。
【請求項２】
前記ホワイトバランス回路が、
前記第２色信号の信号レベルと当該第２色信号に対する前記閾値レベルとを比較して、当該第２色信号の光電変換特性を確認する比較器と、
前記線形変換特性の前記第２色信号を、前記第１信号の線形変換特性に基づいて変換する第１演算式を備えた第１演算部と、
前記対数変換特性の前記第２色信号を、前記第１信号の対数変換特性に基づいて変換する第２演算式を備えた第２演算部と、
前記比較器で前記第２色信号の光電変換特性が前記線形変換特性であることが確認されたとき、第１演算部からの信号を選択して出力し、又、前記比較器で前記第２色信号の光電変換特性が前記対数変換特性であることが確認されたとき、第２演算部からの信号を選択して出力する選択部と、
を備えることを特徴とする請求項１に記載の撮像装置。
【請求項３】
前記各第２色信号に対する前記ホワイトバランス回路でのホワイトバランス処理に用いる前記第１演算式及び前記第２演算式へのパラメータと前記第２色信号の光電変換特性を識別するための前記閾値レベルとを設定し、前記パラメータと前記閾値レベルとを前記ホワイトバランス回路へ送出する制御部を備えることを特徴とする請求項２に記載の撮像装置。
【請求項４】
前記ホワイトバランス回路が、
前記色信号の種類を確認する色信号検出部と、
前記第２色信号の種類毎に、前記第１及び第２演算部に与える前記パラメータと前記比較器に与える前記閾値レベルを切り換えるパラメータ設定部と、
を備え、
前記制御部より前記第２色信号の種類毎に与えられた前記パラメータ及び前記閾値レベルを前記色信号検出部で検出された前記第２色信号の種類毎に前記パラメータ設定部で切り換えて前記第１及び第２演算部と前記比較器に与えることで、前記第２色信号の種類毎にホワイトバランス処理を行うことを特徴とする請求項３に記載の撮像装置。
【請求項５】
前記ホワイトバランス回路が、前記第２色信号の種類毎に、前記比較部及び前記第１及び第２演算部及び前記選択部を備え、
前記制御部より前記第２色信号の種類毎に与えられた前記パラメータと前記閾値レベルとが、前記第２色信号の種類毎に設けられた前記第１及び第２演算部と前記比較器とに与えられることを特徴とする請求項３に記載の撮像装置。
【請求項６】
前記第１演算部が、前記パラメータによって設定される第１演算値を乗算する乗算器であり、
前記第２演算部が、前記パラメータによって設定される第２演算値を加算する加算器であることを特徴とする請求項２〜請求項５のいずれかに記載の撮像装置。
【請求項７】
前記第１色信号の光電変換特性と前記第２色信号の光電変換特性の関係を表す評価値を、前記第２色信号の種類毎に、前記固体撮像素子から入力される前記第１色信号及び前記第２色信号の信号レベルの関係より検出する評価値検出回路を備え、
前記パラメータ、前記閾値レベル及び前記第１状態と前記第２状態との切換点となる輝度値が、前記評価値と前記第１色信号の光電変換特性に基づいて設定されることを特徴とする請求項１〜請求項６のいずれかに記載の撮像装置。
【請求項８】
前記評価値検出回路において、前記第２色信号の種類毎に、前記固体撮像素子から与えられる前記第１色信号及び前記第２色信号それぞれの平均値との関係に基づいて、前記評価値が求められることを特徴とする請求項７に記載の撮像装置。
【請求項９】
前記評価値検出回路において、
前記第２色信号の種類毎に、
前記固体撮像素子から与えられた入射光量に対して線形的に変化した前記第１色信号及び前記第２色信号それぞれの平均値との関係に基づいて、第１評価値が求められるとともに、
前記固体撮像素子から与えられた入射光量に対して対数的に変化した前記第１色信号及び前記第２色信号それぞれの平均値との関係に基づいて、第２評価値が求められ、
前記第１評価値及び前記第２評価値を加重加算することで、前記第１色信号の光電変換特性と前記第２色信号の光電変換特性の関係を表す評価値を求めることを特徴とする請求項７に記載の撮像装置。
【請求項１０】
入射光量に対して線形的に変化した信号を出力する画素数と、入射光量に対して対数的に変化した信号を出力する画素数との関係に基づいて、前記加重加算における重み係数を設定することを特徴とする請求項９に記載の撮像装置。
【請求項１１】
前記第１色信号の光電変換特性を、前記固体撮像素子のダイナミックレンジに基づいて決定するとともに、
前記第２色信号の光電変換特性を、前記第１色信号の光電変換特性と前記評価値に基づいて決定することを特徴とする請求項７〜請求項１０のいずれかに記載の撮像装置。
【請求項１２】
前記評価値検出回路で前記評価値を求める際、前記固体撮像素子から出力される前記各種類の色信号における光電変換特性が同一の信号レベルで前記線形変換特性と前記対数変換特性との間で切り替わるように、前記固体撮像素子が駆動されることを特徴とする請求項７〜請求項１１のいずれかに記載の撮像装置。
【請求項１３】
前記固体撮像素子が、各画素毎に複数種類の前記色フィルタが設けられた単板の固体撮像素子であることを特徴とする請求項１〜請求項１２のいずれかに記載の撮像装置。
【請求項１４】
前記固体撮像素子が、複数種類の異なる前記色フィルタ毎に複数板の固体撮像素子により形成されていることを特徴とする請求項１〜請求項１２のいずれかに記載の撮像装置。
【発明の詳細な説明】
【技術分野】
【０００１】
本発明は、入射光量に対して線形的に変化する電気信号を出力する線形変換動作と、入射光量に対して自然対数的に変化する電気信号を出力する対数変換動作との間で、その光電変換動作を切り換えることが可能な撮像装置に関する。
【背景技術】
【０００２】
従来、入射光量に対して線形変換する線形変換動作を行う固体撮像素子においては、そのダイナミックレンジが２桁と狭いため、広い輝度範囲の輝度分布を構成する被写体を撮像したときは、ダイナミックレンジ以外の範囲の輝度情報は出力されない。又、従来の固体撮像装置として、入射光量に対して対数変換する対数変換動作を行うものがある（特許文献１参照）。この固体撮像素子においては、そのダイナミックレンジが５〜６桁と広いため、少々広い輝度範囲の輝度分布を構成する被写体を撮像しても、輝度分布内の全輝度情報を電気信号に変換して出力することができる。しかしながら、被写体の輝度分布に対してその撮像可能領域が広くなるので、撮像可能領域内の低輝度領域又は高輝度領域において、輝度データの無い領域ができてしまう。これらに対して、本出願人は、上述の線形変換動作と対数変換動作とを切り換えることが可能なものを提案している（特許文献２）。
【０００３】
又、これらの固体撮像素子を備える撮像装置において、色フィルタを設けることでカラー画像が撮像されるとき、撮像時の光源の分光分布や色フィルタの透過率が異なるために、各色信号の光電変換特性が異なるものとなる。よって、このようなカラー画像を撮像する撮像装置において、この各色信号の光電変換特性を一致させるためのホワイトバランス処理が施される。そこで、本出願人は、対数変換動作を行う固体撮像素子を備えた撮像装置において、色温度検出回路で検出した色温度に基づいてホワイトバランス処理回路でホワイトバランス処理を施す撮像装置を提案している（特許文献３）。又、本出願人は、対数変換動作を行う固体撮像素子を備えた撮像装置において、ＡＤ変換器においてＡＤ変換する際にオフセット電圧を切り換えることでホワイトバランス処理を施す撮像装置を提案している（特許文献４）。
【特許文献１】特開平１１−３１３２５７号公報
【特許文献２】特開２００２−７７７３３号公報
【特許文献３】特開２００２−１０２７５号公報
【特許文献４】特開２００２−２９０９８０号公報
【発明の開示】
【発明が解決しようとする課題】
【０００４】
しかしながら、特許文献３及び特許文献４における撮像装置では、対数変換特性のみによる光電変換動作を行う固体撮像素子から出力される画像信号をホワイトバランス補正することに対しては有効であるが、線形変換特性による光電変換動作を行う固体撮像素子については、ホワイトバランスをとることができない。そのため、特許文献２のように対数変換特性及び線形変換特性を自動に切り換えることが可能な固体撮像素子を用いた場合、従来のホワイトバランス処理のように乗除算又は加減算のみのホワイトバランス処理では、十分にホワイトバランスをとることができない。又、このような固体撮像素子を用いた場合、各色信号によって異なる光電変換特性が重なりあう輝度範囲においてホワイトバランス処理を施した場合、その演算処理が複雑なものとなる。
【０００５】
このような問題を鑑みて、本発明は、その光電変換特性において線形変換特性と対数変換特性とが自動的に切り替わる固体撮像素子を備えるとき、いずれの特性により出力される信号に対しても簡単な演算処理でホワイトバランス処理を行うことができる撮像装置を提供することを目的とする。
【課題を解決するための手段】
【０００６】
上記目的を達成するために、本発明の撮像装置は、入射光量に対して線形的に変化する電気信号を出力する第１状態と入射光量に対して自然対数的に変化する電気信号を出力する第２状態との間で切換可能な画素を備えるとともに複数種類の色フィルタが設けられた固体撮像素子と、該固体撮像素子から出力される前記色フィルタの種類毎の色信号に対してホワイトバランス処理を行うホワイトバランス回路と、を備える撮像装置において、前記複数種類の色信号の１つを基準となる第１色信号とし、該基準色信号以外の色信号を第２色信号としたとき、前記固体撮像素子において、前記第１色信号を出力する画素と前記第２色信号を出力する画素とが、前記第１状態と前記第２状態との切換点を同一の輝度値とし、前記ホワイトバランス回路において、前記第２色信号の種類毎に、当該第２色信号の前記第１状態と前記第２状態との切換点となる輝度値に対する信号レベルを閾値レベルとして設定し、当該閾値レベルに基づいて前記第２色信号の光電変換特性が前記第１状態による線形変換特性又は前記第２状態による対数変換特性のいずれであるか識別し、識別した光電変換特性に応じて、前記第２色信号にホワイトバランス処理を施すことを特徴とする。
【０００７】
このような撮像装置において、前記第１状態と前記第２状態の切換点となる輝度値よりも低輝度領域では前記色信号が前記第１状態で変換された前記線形変換特性とされ、前記第１状態と前記第２状態の切換点となる輝度値よりも高輝度領域では前記色信号が前記第２状態で変換された前記対数変換特性とされる。このとき、前記閾値レベルより信号レベルが小さいと、前記第２色信号の光電変換特性が前記線形変換特性であると識別される。又、前記閾値レベルより信号レベルが大きいと、前記第２色信号の光電変換特性が前記対数変換特性であると識別される。
【０００８】
尚、本明細書及び請求の範囲における「輝度」とは、光源の放射エネルギーの強度に相関する単一の値であれば良く、測光学的な輝度を意味するものではなく、例えば、固体撮像素子からのＧチャネルの出力値（Ｇ信号の信号レベル）などで光源の強度を表した場合なども含む。
【０００９】
又、前記ホワイトバランス回路が、前記第２色信号の信号レベルと当該第２色信号に対する前記閾値レベルとを比較して、当該第２色信号の光電変換特性を確認する比較器と、前記線形変換特性の前記第２色信号を、前記第１信号の線形変換特性に基づいて変換する第１演算式を備えた第１演算部と、前記対数変換特性の前記第２色信号を、前記第１信号の対数変換特性に基づいて変換する第２演算式を備えた第２演算部と、前記比較器で前記第２色信号の光電変換特性が前記線形変換特性であることが確認されたとき、第１演算部からの信号を選択して出力し、又、前記比較器で前記第２色信号の光電変換特性が前記対数変換特性であることが確認されたとき、第２演算部からの信号を選択して出力する選択部と、を備える。
【００１０】
又、前記各第２色信号に対する前記ホワイトバランス回路でのホワイトバランス処理に用いる前記第１演算式及び前記第２演算式へのパラメータと前記第２色信号の光電変換特性を識別するための前記閾値レベルとを設定し、前記パラメータと前記閾値レベルとを前記ホワイトバランス回路へ送出する制御部を備える。
【００１１】
このとき、前記ホワイトバランス回路が、前記色信号の種類を確認する色信号検出部と、前記第２色信号の種類毎に、前記第１及び第２演算部に与える前記パラメータと前記比較器に与える前記閾値レベルを切り換えるパラメータ設定部と、を備え、前記制御部より前記第２色信号の種類毎に与えられた前記パラメータ及び前記閾値レベルを前記色信号検出部で検出された前記第２色信号の種類毎に前記パラメータ設定部で切り換えて前記第１及び第２演算部と前記比較器に与えることで、前記第２色信号の種類毎にホワイトバランス処理を行うものとしても構わない。
【００１２】
又、前記ホワイトバランス回路が、前記第２色信号の種類毎に、前記比較部及び前記第１及び第２演算部及び前記選択部を備え、前記制御部より前記第２色信号の種類毎に与えられた前記パラメータと前記閾値レベルとが、前記第２色信号の種類毎に設けられた前記第１及び第２演算部と前記比較器とに与えられるものとしても構わない。
【００１３】
そして、これらの撮像装置において、前記第１演算部が、前記パラメータによって設定される第１演算値を乗算する乗算器であり、前記第２演算部が、前記パラメータによって設定される第２演算値を加算する加算器である。
【００１４】
又、前記第１色信号の光電変換特性と前記第２色信号の光電変換特性の関係を表す評価値を、前記第２色信号の種類毎に、前記固体撮像素子から入力される前記第１色信号及び前記第２色信号の信号レベルの関係より検出する評価値検出回路を備え、前記パラメータ、前記閾値レベル及び前記第１状態と前記第２状態との切換点となる輝度値が、前記評価値と前記第１色信号の光電変換特性に基づいて設定されるものとしても構わない。このとき、外部から指示されることで、前記評価値検出回路が動作し、前記パラメータ、前記閾値レベル及び前記第１状態と前記第２状態との切換点となる輝度値が求められるものとしても構わないし、所定フレーム毎に、前記評価値検出回路が動作し、前記パラメータ、前記閾値レベル及び前記第１状態と前記第２状態との切換点となる輝度値が求められるものとしても構わない。
【００１５】
又、前記評価値検出回路において、前記第２色信号の種類毎に、前記固体撮像素子から与えられる前記第１色信号及び前記第２色信号それぞれの平均値との関係に基づいて、前記評価値が求められるものとしても構わない。
【００１６】
又、前記評価値検出回路において、前記第２色信号の種類毎に、前記固体撮像素子から与えられた入射光量に対して線形的に変化した前記第１色信号及び前記第２色信号それぞれの平均値との関係に基づいて、第１評価値が求められるとともに、前記固体撮像素子から与えられた入射光量に対して対数的に変化した前記第１色信号及び前記第２色信号それぞれの平均値との関係に基づいて、第２評価値が求められ、前記第１評価値及び前記第２評価値を加重加算することで、前記第１色信号の光電変換特性と前記第２色信号の光電変換特性の関係を表す評価値を求めるものとしても構わない。このとき、入射光量に対して線形的に変化した信号を出力する画素数と、入射光量に対して対数的に変化した信号を出力する画素数との関係に基づいて、前記加重加算における重み係数を設定する。
【００１７】
更に、前記第１色信号の光電変換特性を、前記固体撮像素子のダイナミックレンジに基づいて決定するとともに、前記第２色信号の光電変換特性を、前記第１色信号の光電変換特性と前記評価値に基づいて決定する。
【００１８】
又、前記評価値検出回路で前記評価値を求める際、前記固体撮像素子から出力される前記各種類の色信号における光電変換特性が同一の信号レベルで前記線形変換特性と前記対数変換特性との間で切り替わるように、前記固体撮像素子が駆動される。
【００１９】
前記固体撮像素子が、各画素毎に複数種類の色フィルタが設けられた単板の固体撮像素子であっても構わないし、複数種類の異なる色フィルタ毎に複数板の固体撮像素子により形成されているものであっても構わない。
【００２０】
更に、上述の撮像装置において、前記パラメータ、前記閾値レベル及び前記第１状態と前記第２状態との切換点となる輝度値が、太陽光やタングステン光や蛍光灯などの撮影環境に応じて予め格納され、外部より当該撮影環境が指定されることで、前記パラメータ、前記閾値レベル及び前記第１状態と前記第２状態との切換点となる輝度値が設定されるものとしても構わない。
【発明の効果】
【００２１】
本発明によると、各色信号の光電変換特性における線形変換特性と対数変換特性との切換点を同一の輝度値とすることによって、線形変換特性を備える輝度範囲と対数変換特性を備える輝度範囲を、種類の異なる色信号に対して同一の輝度範囲とすることができる。よって、種類の異なる色信号間において、線形変換特性を備える輝度範囲と対数変換特性を備える輝度範囲が重ならない。そのため、線形変換特性の第２色信号を第１色信号の線形変換特性に基づいて変換する演算を行うとともに、対数変換特性の第２色信号を第１色信号の対数変換特性に基づいて変換する演算を行うことによって、簡単な演算処理によりホワイトバランス処理を行うことができる。
【００２２】
又、評価値検出回路を設けることによって、各色信号の関係を確認することができる各色信号に対する評価値を検出することができる。よって、演算パラメータを、評価値と基準となる色信号の光電変換特性により容易に求めることができる。又、入射光量に対して線形的に変化した色信号と入射光量に対して対数的に変化した色信号とのそれぞれに対して評価値を求めた後、これらの評価値を加重加算して各色信号の評価値を設定することで、より高精度な評価値を得ることができる。更に、線形的に変化した信号を出力する画素数と、入射光量に対して対数的に変化した信号を出力する画素数との関係に基づいて、前記加重加算における重み係数を設定するため、演算パラメータを撮像した被写体の輝度分布に応じたものに設定することができる。よって、撮像した被写体の輝度分布に応じたホワイトバランス処理を施すことができる。
【発明を実施するための最良の形態】
【００２３】
＜撮像装置の構成＞
本発明の実施形態である撮像装置の構成について、図１を参照して説明する。図１は、撮像装置の内部構成を示すブロック図である。
【００２４】
図１の撮像装置は、複数のレンズから構成される光学系１と、光学系１を通じて入射される光の入射光量を電気信号に変換する固体撮像素子２と、固体撮像素子２から出力される電気信号を増幅するアンプ３と、アンプ３で増幅された電気信号をデジタル信号に変換するＡＤ変換回路４と、ＡＤ変換回路４からのデジタル信号の最低レベルを設定する黒基準補正回路５と、黒基準補正回路５で黒基準値により補正されたデジタル信号が固体撮像素子２の各画素の感度などによるＦＰＮ（固定パターンノイズ：Fixed Pattern Noise）を除去するＦＰＮ補正回路６と、ＦＰＮ補正回路６でＦＰＮ除去されたデジタル信号より自動露出制御（ＡＥ）及びホワイトバランス（ＷＢ）を行うためのそれぞれの評価値を検出するＡＥ・ＷＢ評価値検出回路７と、ＦＰＮ補正回路６でＦＰＮ除去されたデジタル信号について色バランスがとれるように各色信号毎に補正を行うＷＢ制御回路８と、ＷＢ制御回路８から出力される隣接する複数の画素の色信号に基づいて各色信号の補間を行う色補間回路９と、色補間回路９から出力される各色信号を他の色信号により色合いを各画素毎に補正する色補正回路１０と、色補正回路１０から出力されるデジタル信号の階調変換を行う階調変換回路１１と、階調変換回路１１から出力されるデジタル信号についてエッジ強調などの処理を施すコアリング回路１２と、各ブロックの制御を行う全体制御部１３と、光学系１に備えられる絞り１ａによる露光量を制御する絞り制御部１４と、固体撮像素子２及びＡＤ変換回路４に動作タイミング用のクロックを与えるタイミング生成回路１５と、を備える。
【００２５】
このように構成される撮像装置においては、光学系１を介して光が各画素毎に異なる色フィルタを備えた固体撮像素子２に入射されると、各画素において光電変換動作が行われ、各画素毎に異なる色信号となるアナログ信号が出力される。即ち、図２のように、ＲＧＢによるベイヤ型配列となる色フィルタが固体撮像素子２に設けられるとき、Ｒとなる色フィルタが設けられた画素からは赤色を表すＲ信号が、Ｇとなる色フィルタが設けられた画素からは緑色を表すＧ信号が、Ｂとなる色フィルタが設けられた画素からは青色を表すＢ信号が、それぞれ出力される。尚、固体撮像素子２は、後述するように、全体制御部１３によって駆動条件が変更されることにより、線形変換動作と対数変換動作とが切り換わる輝度位置が変更される。これによって、固体撮像素子２のダイナミックレンジが変化する。切換点が高輝度側になるほどダイナミックレンジが広くなる。
【００２６】
この固体撮像素子２からシリアルに出力されるＲ信号及びＧ信号及びＢ信号が、アンプ３において増幅された後、ＡＤ変換回路４においてデジタル信号に変換される。このようにデジタル信号に変換されたＲ信号及びＧ信号及びＢ信号が黒基準補正回路５に与えられると、全体制御部１３から与えられるダイナミックレンジデータに基づいて、最低輝度値となる黒レベルが基準値（０）に補正される。即ち、固体撮像素子２のダイナミックレンジによって黒レベルが異なるため、ＡＤ変換回路４から出力されるＲ信号及びＧ信号及びＢ信号それぞれの信号レベルに対して、黒レベルとなる信号レベルが減算されることで、基準値補正が行われる。
【００２７】
この黒基準補正が行われたＲ信号及びＧ信号及びＢ信号は、ＦＰＮ補正回路６において格納しているＦＰＮ成分を減算することによって、ＦＰＮ成分が除去される。このＦＰＮ成分は、固体撮像素子２内の各画素を構成するＭＯＳトランジスタの閾値バラツキなどが原因となって生じるオフセットバラツキである。尚、このＦＰＮ成分を抽出する際、ＲＧＢ信号それぞれについて、均一光照射時に固体撮像素子２から出力される各画素に対する画像信号から色フィルタの透過率の差異に基づくオフセットを減算する。このとき、このような各色フィルタの透過率に基づくオフセットを、均一光照射時のＲＧＢ信号それぞれの平均値により求めるものとし、この平均値を均一光照射時のＲＧＢ信号から減算することで、各画素のＦＰＮ成分を抽出するものとしても構わない。このようにＦＰＮ成分が除去されたＲ信号及びＧ信号及びＢ信号が、ＡＥ・ＷＢ評価値検出回路７及びＷＢ制御回路８に与えられる。
【００２８】
ＡＥ・ＷＢ評価値検出回路７では、与えられたＲ信号及びＧ信号及びＢ信号より成る画像信号の輝度値を確認することにより、被写体の輝度範囲を表す輝度の平均値分布範囲を算出し、露光量を設定するＡＥ評価値として全体制御部１３に送出する。このＡＥ評価値に基づいて全体制御部１３が絞り１ａの開口度を制御することで、露光量が制御される。又、ＡＥ・ＷＢ評価値検出回路７では、与えられたＲ信号及びＧ信号及びＢ信号よりそれぞれの輝度比及び輝度差を確認し、ホワイトバランスを行うための基準値であるＷＢ評価値を算出し、全体制御部１３に送出する。そして、ＷＢ制御回路８では、全体制御部１３より与えられるＷＢ評価値及びダイナミックレンジデータに基づいて、Ｒ信号及びＧ信号及びＢ信号が、同一の光電変換特性となるようにホワイトバランス処理が施される。このＡＥ・ＷＢ評価値検出回路７及びＷＢ制御回路８の詳細については後述する。
【００２９】
ＷＢ制御回路８でホワイトバランス処理が施されたＲ信号及びＧ信号及びＢ信号は、色補間回路９において色補間処理が施される。図２のようなＲＧＢによるベイヤ型配列となる色フィルタが固体撮像素子２に設けられているとき、各画素から出力される色信号は、その画素が設けられる色フィルタによる色信号のみである。よって、色補間回路９において、他の色信号が隣接する画素の色信号により生成されることで、色補間処理が施される。
【００３０】
そして、ＲＧＢそれぞれの色フィルタが各画素Ｇ11〜Ｇ44に図２のように配列されているとき、画素Ｇ11，Ｇ31，Ｇ13，Ｇ33からＲ信号ｒ11，ｒ31，ｒ13，ｒ33が、画素Ｇ21，Ｇ41，Ｇ12，Ｇ32，Ｇ23，Ｇ43，Ｇ14，Ｇ34からＧ信号ｇ21，ｇ41，ｇ12，ｇ32，ｇ23，ｇ43，ｇ14，ｇ34が、画素Ｇ22，Ｇ42，Ｇ24，Ｇ44からＢ信号ｂ22，ｂ42，ｂ24，ｂ44が、出力される。このとき、画素Ｇ22，Ｇ23，Ｇ32，Ｇ33のＲＧＢ信号が、以下の式のように表される。
【００３１】
画素Ｇ22のＲ信号ｒ22、Ｇ信号ｇ22、Ｂ信号ｂ22
ｒ22＝（ｒ11＋ｒ31＋ｒ13＋ｒ33）／４
ｇ22＝（ｇ21＋ｇ12＋ｇ32＋ｇ23）／４
ｂ22＝ｂ22
画素Ｇ32のＲ信号ｒ32、Ｇ信号ｇ32、Ｂ信号ｂ32
ｒ32＝（ｒ31＋ｒ33）／２
ｇ32＝ｇ32
ｂ32＝（ｂ22＋ｂ42）／２
画素Ｇ23のＲ信号ｒ23、Ｇ信号ｇ23、Ｂ信号ｂ23
ｒ23＝（ｒ13＋ｒ33）／２
ｇ23＝ｇ23
ｂ23＝（ｂ22＋ｂ24）／２
画素Ｇ33のＲ信号ｒ33、Ｇ信号ｇ33、Ｂ信号ｂ33
ｒ33＝ｒ33
ｇ33＝（ｇ32＋ｇ23＋ｇ43＋ｇ34）／４
ｂ33＝（ｂ22＋ｂ42＋ｂ24＋ｂ44）／４
【００３２】
このように画素補間処理を行うことで、各画素毎にＲＧＢ信号が得られると、各画素のＲＧＢ信号が色補正回路１０に与えられ、各画素の色合いを強調するための色補正処理が施される。このとき、ＲＧＢ信号はそれぞれ、他の色信号の値により色補正が施される。即ち、画素ＧklのＲＧＢ信号ｒkl，ｇkl，ｂklを以下の式に代入することによって、色合い補正が施された画素ＧｋｌのＲＧＢ信号ｒｘkl，ｇｘkl，ｂｘklが生成される。この際、ａ１〜ａ３，ｂ１〜ｂ３，ｃ１〜ｃ３によるマトリックス係数が、全体制御部１３から入力されるダイナミックレンジ制御信号に基づいて切り換えられて、各画素のＲＧＢ信号による色合いが強調される。
【００３３】
ｒｘkl＝ａ１×ｒkl＋ａ２×ｇkl＋ａ３×ｂkl
ｇｘkl＝ｂ１×ｒkl＋ｂ２×ｇkl＋ｂ３×ｂkl
ｂｘkl＝ｃ１×ｒkl＋ｃ２×ｇkl＋ｃ３×ｂkl
【００３４】
色補正回路１０で色補正が施されたＲＧＢ信号は、階調変換回路１１に与えられて、適切な出力レベルとなるように、全体制御部１３から入力されるダイナミックレンジ制御信号及びＡＥ評価値に基づいて、γカーブに基づく変化やデジタルゲインの変化により階調特性を変化させる。そして、エッジ成分に対して、図３に示すように、基準信号レベルからみて所定範囲内の出力をすべて基準信号レベルに変換するレベル変換特性を備えるコアリング回路１２において、ＲＧＢ信号それぞれに重畳したノイズ成分が除去されるとともに、エッジ成分が抽出されてエッジ強調処理が施される。
【００３５】
＜固体撮像素子の構成例＞
図１のように構成される撮像装置における固体撮像素子２の構成について、図面を参照して説明する。図４は、本例の固体撮像素子の一部の構成を概略的に示すブロック図であり、図５は、各画素の構成を示す回路図である。
【００３６】
固体撮像素子２は、図４に示すように、Ｇ11〜Ｇmnは行列配置（マトリクス配置）された画素を示している。２１は垂直走査回路であり、各画素に信号φＶを与える行（ライン）２３−１，２３−２，・・・，２３−ｎを順次走査していくとともに、ライン２４−１，２４−２，・・・，２４−ｎを介して各画素に信号φＶＤを、ライン２５ｒ，２５ｇ，２５ｂを介して各画素に信号φＶPSを、それぞれ与える。２２は水平走査回路であり、画素から出力信号線２６−１，２６−２，・・・，２６−ｍに導出された光電変換信号を画素ごとに水平方向に順次読み出す。２０は電源ラインである。各画素に対し、上記ライン２３−１〜２３−ｎ，２４−１〜２４−ｎ，２５ｒ，２５ｇ，２５ｂや出力信号線２６−１〜２６−ｍ、電源ライン２０だけでなく、他のライン（例えば、クロックラインやバイアス供給ライン等）も接続されるが、図４ではこれらについて省略する。
【００３７】
尚、ライン２５ｒ，２５ｇ，２５ｂはそれぞれ、ＲＧＢフィルタが設けられた画素に対して接続される。よって、Ｒフィルタが設けられた画素には、ライン２５ｒからの信号φＶPSが入力され、Ｇフィルタが設けられた画素には、ライン２５ｇからの信号φＶPSが入力され、Ｂフィルタが設けられた画素には、ライン２５ｂからの信号φＶPSが入力されることで、各色信号毎に、光電変換特性を切り換えることができる。
【００３８】
又、出力信号線２６−１〜２６−ｍのそれぞれには、定電流源２７−１〜２７−ｍが接続されるとともに、信号線２６−１〜２６−ｍのそれぞれを介して与えられる画素Ｇ11〜Ｇmnから与えられる画像信号とノイズ信号をサンプルホールドする選択回路２８−１〜２８−ｍが設けられる。そして、補正回路２９に選択回路２８−１〜２８−ｍから画像信号及びノイズ信号が順に送出されると、この補正回路２９で補正処理が行われて、ノイズ除去された画像信号が外部に出力される。尚、定電流源２７−１〜２７−ｍの一端に直流電圧ＶPSが印加される。
【００３９】
このような固体撮像素子において、画素Ｇab（ａ：１≦ａ≦ｍの自然数、ｂ：１≦ｂ≦ｎの自然数）からの出力となる画像信号及びノイズ信号が、それぞれ、出力信号線２６−ａを介して出力されるとともに、この出力信号線２６−ａに接続された定電流源２７−ａによって増幅される。そして、画素Ｇabから出力された画像信号及びノイズ信号が順番に選択回路２８−ａに送出されるとともに、この選択回路２８−ａにおいて、送出された画像信号及びノイズ信号がサンプルホールドされる。その後、選択回路２８−ａより、サンプルホールドされた画像信号が補正回路２９に送出された後、同じくサンプルホールドされたノイズ信号が補正回路２９に送出される。補正回路２９では、選択回路２８−ａより与えられた画像信号を、同じく選択回路２８−ａより与えられたノイズ信号に基づいて補正処理して、ノイズ除去した画像信号をアンプ３に出力する。
【００４０】
このような構成の固体撮像素子２において、画素Ｇ11〜Ｇmnは、図５に示すように、カソードに直流電圧ＶPDが印加されたフォトダイオードＰＤのアノードにＭＯＳトランジスタＴ１のドレインが接続され、ＭＯＳトランジスタＴ１のソースにＭＯＳトランジスタＴ２のゲート及びドレインとＭＯＳトランジスタＴ３のゲートが接続される。又、ＭＯＳトランジスタＴ３のソースにＭＯＳトランジスタＴ４のゲート及びＭＯＳトランジスタＴ５のドレインが接続され、ＭＯＳトランジスタＴ４のソースにＭＯＳトランジスタＴ６のドレインが接続される。そして、ＭＯＳトランジスタＴ６のドレインが出力信号線２６（図４の出力信号線２６−１〜２６−ｍに相当する）に接続される。尚、ＭＯＳトランジスタＴ１〜Ｔ６は、ＰチャネルのＭＯＳトランジスタである。
【００４１】
ＭＯＳトランジスタＴ２のソースにはライン２５（図４のライン２５ｒ，２５ｇ，２５ｂに相当する）を介して信号φＶPSが入力され、ＭＯＳトランジスタＴ３，Ｔ４のドレインに直流電圧ＶPDが印加される。又、ＭＯＳトランジスタＴ３のソースには、その一端にライン２４（図４のライン２４−１〜２４−ｎに相当する）を介して信号φＶＤが与えられるキャパシタＣの他端が接続される。又、ＭＯＳトランジスタＴ５のソースには直流電圧ＶRGが入力され、そのゲートに信号φＲＳが入力される。更に、ＭＯＳトランジスタＴ１，Ｔ６のゲートにはそれぞれ、信号φＳ，φＶが入力される。
【００４２】
尚、信号φＶPSは２値の電圧信号で、入射光量が所定値を超えたときにＭＯＳトランジスタＴ２をサブスレッショルド領域で動作させるための電圧をＶＬとし、又、この電圧よりも高くＭＯＳトランジスタＴ２を導通状態にする電圧をＶＨとする。又、信号φＶＤは、３値の電圧信号であり、キャパシタＣを積分動作させる際の電圧値を最も高いＶｈとし、画像信号読み出し時の電圧値をＶｈよりも低いＶｍとし、ノイズ信号読み出し時の電圧値をＶｍよりも低いＶｌとする。
【００４３】
このように構成される固体撮像素子２における画素Ｇ11〜Ｇmnの動作について、図６のタイムチャートを参照して説明する。まず、電圧値Ｖｍのパルス信号φＶＤとパルス信号φＶが与えられて画像信号が出力されると、信号φＶＤをＶｈとした後、信号φＳをハイにしてＭＯＳトランジスタＴ１をＯＦＦにして、リセット動作が始まる。次に、ＭＯＳトランジスタＴ２のソースに与える信号φＶPSをＶＨにして、ＭＯＳトランジスタＴ２のソース電圧を高くすることで、ＭＯＳトランジスタＴ２のゲート及びドレイン、そしてＭＯＳトランジスタＴ３のゲートに蓄積された負の電荷が速やかに再結合される。このとき、信号φＲＳをローとして、ＭＯＳトランジスタＴ５をＯＮにして、キャパシタＣとＭＯＳトランジスタＴ４のゲートとの接続ノードの電圧を初期化する。
【００４４】
そして、ＭＯＳトランジスタＴ２のソースに与える信号φＶPSをＶＬにして、ＭＯＳトランジスタＴ２のポテンシャル状態を基の状態に戻した後、信号φＲＳをハイにして、ＭＯＳトランジスタＴ５をＯＦＦにする。その後、キャパシタＣが積分動作を行って、キャパシタＣとＭＯＳトランジスタＴ４のゲートとの接続ノードの電圧が、リセットされたＭＯＳトランジスタＴ２のゲート電圧に応じたものとなる。そして、パルス信号φＶをＭＯＳトランジスタＴ６のゲートに与えてＭＯＳトランジスタＴ６をＯＮにするとともに信号φＶＤの電圧値をＶｌにする。このとき、ＭＯＳトランジスタＴ４がソースフォロワ型のＭＯＳトランジスタとして動作するため、出力信号線２６にはノイズ信号が電圧信号として現れる。その後、再び、パルス信号φＲＳをＭＯＳトランジスタＴ５に与えて、キャパシタＣとＭＯＳトランジスタＴ４のゲートとの接続ノードの電圧をリセットした後、信号φＳをローにしてＭＯＳトランジスタＴ１を導通させて撮像動作が行える状態にする。
【００４５】
このようにノイズ信号が出力された後、ＭＯＳトランジスタＴ１がＯＮとされると、撮像動作が開始される。このとき、信号φＲＳをハイとして、ＭＯＳトランジスタＴ５をＯＦＦとする。又、ＭＯＳトランジスタＴ２のソースに与える信号φＶPSをＶＬとするとともに、キャパシタＣに与える信号φＶＤの電圧値をＶｈとして、積分動作を行うようにする。そして、フォトダイオードＰＤより入射光量に応じた光電荷がＭＯＳトランジスタＴ２に流れ込むと、ＭＯＳトランジスタＴ２はカットオフ状態であるので、光電荷がＭＯＳトランジスタＴ２のゲートに蓄積される。
【００４６】
よって、撮像する被写体の輝度が低くフォトダイオードＰＤに入射される入射光量が少ない場合は、ＭＯＳトランジスタＴ２のゲートに蓄積された光電荷量に応じた電圧がＭＯＳトランジスタＴ２のゲートに現れるため、入射光量の積分値に対して線形的に変化する電圧がＭＯＳトランジスタＴ３のゲートに現れる。又、撮像する被写体の輝度が高くフォトダイオードＰＤに入射される入射光量が多く、ＭＯＳトランジスタＴ２のゲートに蓄積された光電荷量に応じた電圧が高くなると、ＭＯＳトランジスタＴ２がサブスレッショルド領域で動作を行うため、入射光量に対して自然対数的に変化する電圧がＭＯＳトランジスタＴ３のゲートに現れる。
【００４７】
この入射光量に対して線形的に又は自然対数的に変化する電圧がＭＯＳトランジスタＴ３で電流増幅されたドレイン電流がキャパシタＣから流れるため、ＭＯＳトランジスタＴ４のゲート電圧が、入射光量の積分値に対して線形的又は自然対数的に変化する電圧となる。そして、信号φＶＤの電圧値をＶｍとするとともに、ＭＯＳトランジスタＴ６にパルス信号φＶを与えることで、ＭＯＳトランジスタＴ４のゲート電圧に応じたソース電流が、ＭＯＳトランジスタＴ６を介して出力信号線６へ流れる。このとき、ＭＯＳトランジスタＴ４がソースフォロワ型のＭＯＳトランジスタとして動作するため、出力信号線６には画像信号が電圧信号として現れる。その後、信号φＶをハイにしてＭＯＳトランジスタＴ６をＯＦＦにするとともに、信号φＶＤの電圧値をＶｈとする。
【００４８】
このように動作するとき、撮像時の信号φＶPSの電圧値ＶＬが低くなり、リセット時の信号φＶPSの電圧値ＶＨとの差を大きくするほど、ＭＯＳトランジスタＴ２のゲート・ソース間のポテンシャルの差が大きくなり、ＭＯＳトランジスタＴ２がカットオフ状態で動作する被写体輝度の割合が大きくなる。よって、図７のように、電圧値ＶＬが低いほど、線形変換する被写体輝度の割合が大きくなる。そこで、例えば、被写体の輝度範囲を検出し、被写体の輝度範囲が狭いと電圧値ＶＬを低くして、線形変換する輝度範囲を広くし、又、被写体の輝度範囲が広いと電圧値ＶＬを高くして、対数変換する輝度範囲を広くすることで、被写体の特性に合った光電変換特性とすることができる。尚、電圧値ＶＬを最小とするとき、常に線形変換する状態とし、又、電圧値ＶＬを最大とするとき、常に対数変換する状態とすることもできる。
【００４９】
このように動作する固体撮像素子２の画素Ｇ11〜Ｇmnに与える信号φＶPSの電圧値ＶＬの値を全体制御部１３が切り換えることによって、被写体の輝度範囲などに応じてダイナミックレンジを切り換えられる固体撮像素子２とすることができる。即ち、全体制御部１３が信号φＶPSの電圧値ＶＬの値を切り換えることで、固体撮像素子２の画素Ｇ11〜Ｇmnにおける線形変換動作から対数変換動作へ切り替わる変極点（輝度値）を設定することができる。尚、撮像時に対数変換動作に変わるときのＭＯＳトランジスタＴ２のゲート電圧に至るまでにＭＯＳトランジスタＴ２に流れ込む光電荷量が、全ての画素において等しい。
【００５０】
尚、本構成例では、図５のように構成される画素を備えた固体撮像素子としたが、このような構成に限られるものではなく、線形変換動作と対数変換動作を各画素において自動的に切り換えることが可能なものであれば、特許文献２に示されるような構成の画素などのような他の構成の画素より構成されるものとしても構わない。又、撮像時の信号φＶPSの電圧値ＶＬを変更することで線形変換動作と対数変換動作との変極点を変更するものとしたが、リセット時の信号φＶPSの電圧値ＶＨを変更することで線形変換動作と対数変換動作との変極点を変更するものとしても構わない。又、リセット時間を変更することで上記変極点を変更するものとしても構わない。更に、各画素にＲＧＢフィルタを備えるものとしたが、シアン（Cyan）、マゼンタ（Magenta）、イエロー（Yellow）などの他の色フィルタを備えるものとしても構わない。
【００５１】
＜ＡＥ・ＷＢ評価値検出回路の第１例＞
図１のように構成される撮像装置におけるＡＥ・ＷＢ評価値検出回路の第１例について、図面を参照して以下に詳細に説明する。図８は、本例のＡＥ・ＷＢ評価値検出回路の内部構成を示すブロック図である。
【００５２】
本例のＡＥ・ＷＢ評価値検出回路７は、図８に示すように、ＦＰＮ補正回路６でＦＰＮ成分が除去されたＲＧＢ信号それぞれが与えられるとともに線形変換又は対数変換のいずれが施された信号であるかを確認する光電変換特性判別部７１ｒ，７１ｇ，７１ｂと、線形変換された（線形変換特性を備えた）ＲＧＢ信号それぞれの平均値ｒ１av，ｇ１av，ｂ１avを求める平均値演算部７２ｒ，７２ｇ，７２ｂと、対数変換された（対数変換特性を備えた）ＲＧＢ信号それぞれの平均値ｒ２av，ｇ２av，ｂ２avを求める平均値演算部７３ｒ，７３ｇ，７３ｂと、平均値演算部７２ｒ，７２ｇそれぞれから与えられるＲＧ信号それぞれの平均値ｒ１av，ｇ１avよりＲ信号に対するＷＢ評価値ｗｒ１を求めるＷＢ評価値演算部７４ｒと、平均値演算部７２ｇ，７２ｂそれぞれから与えられるＧＢ信号それぞれの平均値ｇ１av，ｂ１avよりＢ信号に対するＷＢ評価値ｗｂ１を求めるＷＢ評価値演算部７４ｂと、平均値演算部７３ｒ，７３ｇそれぞれから与えられるＲＧ信号それぞれの平均値ｒ２av，ｇ２avよりＲ信号に対するＷＢ評価値ｗｒ２を求めるＷＢ評価値演算部７５ｒと、平均値演算部７３ｇ，７３ｂそれぞれから与えられるＧＢ信号それぞれの平均値ｇ２av，ｂ２avよりＢ信号に対するＷＢ評価値ｗｂ２を求めるＷＢ評価値演算部７５ｂと、ＷＢ評価値演算部７４ｒ，７５ｒそれぞれからのＷＢ評価値ｗｒ１，ｗｒ２を加重加算することによってＲ信号に対するＷＢ評価値ｗｒを生成して全体制御部１３に出力する加重加算部７６ｒと、ＷＢ評価値演算部７４ｂ，７５ｂそれぞれからのＷＢ評価値ｗｂ１，ｗｂ２を加重加算することによってＢ信号に対するＷＢ評価値ｗｂを生成して全体制御部１３に出力する加重加算部７６ｂと、を備える。
【００５３】
又、全体制御部１３は、図９に示すように、固体撮像素子２のダイナミックレンジを調整するとともにタイミング生成回路１５から出力されるクロックのタイミングを制御するセンサ駆動部１３１と、ＡＥ・ＷＢ評価値検出回路７で検出されたＡＥ評価値及びＷＢ評価値に従ってセンサ駆動部１３１を制御するとともにＷＢ制御回路８に与えるデータを生成するマイコン１３２と、固体撮像素子２のダイナミックレンジに応じた換言すれば線形変換特性と対数変換特性との切換点の位置に応じた光電変換特性を与えるデータを格納するメモリ１３３と、を備える。マイコン１３２は、例えば、被写体の輝度範囲に応じて適切なダイナミックレンジが得られるように固体撮像素子２のダイナミックレンジを変更するためのダイナミックレンジ制御信号をセンサ駆動部１３１に与える。センサ駆動部１３１はこのダイナミックレンジ制御信号に基づいて駆動条件を変更し、固体撮像素子２のダイナミックレンジを変更する。
【００５４】
図８のように構成されるＡＥ・ＷＢ評価値検出回路７の動作について、図面を参照して以下に説明する。このＡＥ・ＷＢ評価値検出回路７においてＷＢ評価値ｗｒ，ｗｂが求められるとき、ＲＧＢフィルタが設けられた各画素に対してライン２５ｒ，２５ｇ，２５ｂより与えられる信号φＶPSの値が等しくなるように設定される。そして、まず、光電変換特性判別部７１ｒ，７１ｇ，７１ｂそれぞれに、ＦＰＮ補正回路６でＦＰＮ成分が除去されたＲＧＢ信号が与えられる。このように入力されるＲＧＢ信号の典型例を図１０に示す。尚、図１０は、輝度値に対するＲＧＢ信号の信号レベルの関係を表したグラフで、輝度値は対数値で表される。即ち、全体制御部１３のマイコン１３２からのダイナミックレンジ制御信号によってセンサ駆動部１３１から上述の固体撮像素子２へ与える信号φＶPSの電圧ＶＬが設定されるとき、黒基準補正回路５やＦＰＮ補正回路６でオフセットを除くため、信号φＶPSの電圧ＶＬによって決定する各画素のＭＯＳトランジスタＴ２の動作が切り替わるポテンシャル位置を略等しいものとすることができる。よって、図１０のように、ＲＧＢ信号それぞれにおいて、線形変換特性から対数変換特性に切り替わる変極点となる信号レベルが等しくなる。
【００５５】
このＲＧＢ信号における線形変換特性から対数変換特性に切り替わる変極点となる信号レベルを閾値レベルＶthとする。そして、全体制御部１３のセンサ駆動部１３１によって上述の固体撮像素子２へ与える信号φＶPSの電圧ＶＬが設定されるとき、この閾値レベルＶthが、ダイナミックレンジデータとして、全体制御部１３のマイコン１３２から光電変換特性判別部７１ｒ，７１ｇ，７１ｂそれぞれに与えられる。よって、光電変換特性判別部７１ｒ，７１ｇ，７１ｂでは、信号レベルが閾値レベルＶthより高ければ対数変換された信号であると判断し、信号レベルが閾値レベルＶth以下の場合は線形変換された信号であると判断する。尚、信号レベルが、閾値レベルＶth以上のときに対数変換された信号であると判断し、閾値レベルＶthより低いときに線形変換された信号であると判断するようにしても良い。以下の説明についても同様である。
【００５６】
そして、光電変換特性判別部７１ｒにおいて信号レベルが閾値レベルＶth以下で線形変換された信号であると判断されたＲ信号は、平均値演算部７２ｒに与えられ、又、光電変換特性判別部７１ｒにおいて信号レベルが閾値レベルＶthより高く対数変換された信号であると判断されたＲ信号は、平均値演算部７３ｒに与えられる。同様に、光電変換特性判別部７１ｇにおいて信号レベルが閾値レベルＶth以下で線形変換された信号であると判断されたＧ信号は、平均値演算部７２ｇに与えられ、又、光電変換特性判別部７１ｇにおいて信号レベルが閾値レベルＶthより高く対数変換された信号であると判断されたＧ信号は、平均値演算部７３ｇに与えられる。又、光電変換特性判別部７１ｂにおいて信号レベルが閾値レベルＶth以下で線形変換された信号であると判断されたＢ信号は、平均値演算部７２ｂに与えられ、又、光電変換特性判別部７１ｂにおいて信号レベルが閾値レベルＶthより高く対数変換された信号であると判断されたＢ信号は、平均値演算部７３ｂに与えられる。
【００５７】
そして、平均値演算部７２ｒ，７２ｇ，７２ｂではそれぞれ、光電変換特性判別部７１ｒ，７１ｇ，７１ｂそれぞれから与えられる線形変換されたＲＧＢ信号それぞれの信号レベルを加算するとともに、与えられたＲＧＢ信号それぞれの総数を計数する。同様に、平均値演算部７３ｒ，７３ｇ，７３ｂではそれぞれ、光電変換特性判別部７１ｒ，７１ｇ，７１ｂそれぞれから与えられる対数変換されたＲＧＢ信号それぞれの信号レベルを加算するとともに、与えられたＲＧＢ信号それぞれの総数を計数する。このようにして、光電変換特性判別部７１ｒ，７１ｇ，７１ｂから全てのＲＧＢ信号が出力されると、全て出力したことを示す信号が、光電変換特性判別部７１ｒから平均値演算部７２ｒ，７３ｒへ、光電変換特性判別部７１ｇから平均値演算部７２ｇ，７３ｇへ、光電変換特性判別部７１ｂから平均値演算部７２ｂ，７３ｂへ、それぞれ送出される。
【００５８】
その後、平均値演算部７２ｒ，７２ｇ，７２ｂ，７３ｒ，７３ｇ，７３ｂそれぞれにおいては、加算合計した信号レベルを与えられた信号の総数によって除算することで平均値演算を行う。このようにすることで、線形変換されたＲ信号の平均値ｒ１avが平均値演算部７２ｒからＷＢ評価値演算部７４ｒに、線形変換されたＧ信号の平均値ｇ１avが平均値演算部７２ｇからＷＢ評価値演算部７４ｒ，７４ｂに、線形変換されたＢ信号の平均値ｂ１avが平均値演算部７２ｂからＷＢ評価値演算部７４ｂに、それぞれ、送出される。同様に、対数変換されたＲ信号の平均値ｒ２avが平均値演算部７３ｒからＷＢ評価値演算部７５ｒに、対数変換されたＧ信号の平均値ｇ２avが平均値演算部７３ｇからＷＢ評価値演算部７５ｒ，７５ｂに、対数変換されたＢ信号の平均値ｂ２avが平均値演算部７３ｂからＷＢ評価値演算部７５ｂに、それぞれ、送出される。
【００５９】
そして、線形変換されたＲＧ信号の平均値ｒ１av，ｇ１avが与えられたＷＢ評価値演算部７４ｒでは、ＲＧ信号の平均値ｒ１av，ｇ１avと全体制御部１３のマイコン１３２より与えられるＧ信号の光電変換特性より、線形変換されたＲ信号に対するＷＢ評価値ｗｒ１が求められるとともに、線形変換されたＧＢ信号の平均値ｇ１av，ｂ１avが与えられたＷＢ評価値演算部７４ｂでは、ＧＢ信号の平均値ｇ１av，ｂ１avと全体制御部１３のマイコン１３２より与えられるＧ信号の光電変換特性より、線形変換されたＢ信号に対するＷＢ評価値ｗｂ１が求められる。
【００６０】
同様に、対数変換されたＲＧ信号の平均値ｒ２av，ｇ２avが与えられたＷＢ評価値演算部７５ｒでは、ＲＧ信号の平均値ｒ２av，ｇ２avと全体制御部１３のマイコン１３２より与えられるＧ信号の光電変換特性より、対数変換されたＲ信号に対するＷＢ評価値ｗｒ２が求められるとともに、対数変換されたＧＢ信号の平均値ｇ２av，ｂ２avが与えられたＷＢ評価値演算部７５ｂでは、ＧＢ信号の平均値ｇ２av，ｂ２avと全体制御部１３のマイコン１３２より与えられるＧ信号の光電変換特性より、対数変換されたＢ信号に対するＷＢ評価値ｗｂ２が求められる。尚、ＷＢ評価値演算部７４ｒ，７４ｂ，７５ｒ，７５ｂはそれぞれ、全体制御部１３のマイコン１３２より、固体撮像素子２のダイナミックレンジに応じたＧ信号の光電変換特性が与えられる。
【００６１】
このＷＢ評価値演算部７４ｒ，７４ｂ，７５ｒ，７５ｂにおける処理動作について、代表としてＷＢ評価値演算部７４ｒ，７５ｒを例にとって説明する。全体制御部１３のマイコン１３２より、図１１のようなＧ信号の光電変換特性がＷＢ評価値演算部７４ｒ，７４ｂ，７５ｒ，７５ｂに与えられるものとする。このとき、ＷＢ評価値演算部７４ｒでは、まず、図１１（ａ）のように、Ｇ信号の平均値ｇ１avにおける輝度値ＬavをＧ信号の光電変換特性に基づいて求める。即ち、Ｇ信号の線形変換特性領域が、（１）式で表されるとき、（１）式にＧ信号の平均値ｇ１avを代入して逆算することで、輝度値Ｌav（＝（ｇ１av−Ｃ）／Ａｇ）を求めることができる。
【００６２】
Ｖ＝Ａｇ×Ｌ＋Ｃ  …（１）
（Ｖ：信号レベル、Ｌ：輝度、Ａｇ：Ｇ信号に対する光電変換係数、Ｃ：オフセット）
【００６３】
そして、この輝度値Ｌavに対してＲ信号の平均値ｒ１avが得られるものとみなすことにより、Ｒ信号に対する光電変換係数Ａｒ（＝（ｒ１av−Ｃ）／Ｌav）を求めて、図１１（ｂ）のように、線形変換特性領域におけるＲ信号の光電変換特性を求める。尚、Ｒ信号の線形変換特性領域を表す式は、（２）式のように表されるとともに、そのオフセットＣが（１）式と等しいものとする。
【００６４】
Ｖ＝Ａｒ×Ｌ＋Ｃ  …（２）
【００６５】
このように線形変換特性領域におけるＲ信号の光電変換特性を求めると、閾値レベルＶthとなるＲＧ信号それぞれに対する輝度Ｌｒth，Ｌｇthが、図１１（ｃ）のようなＲＧ信号それぞれの光電変換特性より求められる。即ち、（１）、（２）式それぞれに、閾値レベルＶthが代入されて逆算されることにより、輝度Ｌｇth（＝（Ｖth−Ｃ）／Ａｇ），Ｌｒth（＝（Ｖth−Ｃ）／Ａｒ）が求められる。このようにして求められた閾値レベルＶthとなるＲＧ信号それぞれの輝度Ｌｒth，Ｌｇthによって、線形変換されたＲ信号に対するＷＢ評価値ｗｒ１が、その差分値Ｌｇth−Ｌｒthとして求められる。
【００６６】
又、ＷＢ評価値演算部７５ｒでは、まず、図１２（ａ）のように、Ｇ信号の平均値ｇ２avにおける輝度値の対数値ｌｎ（Ｌav）をＧ信号の光電変換特性に基づいて求める。即ち、Ｇ信号の対数変換特性領域が、（３）式で表されるとき、（３）式にＧ信号の平均値ｇ２avを代入して逆算することで、輝度値の対数値ｌｎ（Ｌav）（＝（ｇ２av−βｇ）／α）を求めることができる。尚、図１２におけるＧ信号の光電変換特性は、図１１におけるＧ信号の光電変換特性と等しいものである。
【００６７】
Ｖ＝α×ｌｎ（Ｌ）＋βｇ  …（３）
（α：所定の増幅率、βｇ：Ｇ信号に対する光電変換係数の対数変換値）
【００６８】
そして、この輝度値の対数値ｌｎ（Ｌav）に対してＲ信号の平均値ｒ２avが得られるものとみなすことにより、Ｒ信号に対する光電変換係数の対数変換値βｒ（＝ｒ２av−α×ｌｎ（Ｌav）＝ｒ２av−ｇ２av＋βｇ）を求めて、図１２（ｂ）のように、対数変換特性領域におけるＲ信号の光電変換特性を求める。尚、Ｒ信号の対数変換特性領域を表す式は、（４）式のように表されるとともに、その増幅率αが（３）式と等しいものとする。
【００６９】
Ｖ＝α×ｌｎ（Ｌ）＋βｒ  …（４）
【００７０】
このように対数変換特性領域におけるＲ信号の光電変換特性を求めると、閾値レベルＶthとなるＲＧ信号それぞれに対する輝度の対数値ｌｎ（Ｌｒth），ｌｎ（Ｌｇth）が、図１２（ｃ）のようなＲＧ信号それぞれの光電変換特性より求められる。即ち、（３）、（４）式それぞれに、閾値レベルＶthが代入されて逆算されることにより、輝度の対数値ｌｎ（Ｌｇth）（＝（Ｖth−βｇ）／α），ｌｎ（Ｌｒth）（＝（Ｖth−βｒ）／α）が求められる。よって、閾値レベルＶthとなるＲＧ信号それぞれに対する輝度Ｌｒth（＝ｅｘｐ（（Ｖth−βｒ）／α）），Ｌｇth（＝ｅｘｐ（（Ｖth−βｇ）／α））が最終的に求められる。このようにして求められた閾値レベルＶthとなるＲＧ信号それぞれの輝度Ｌｒth，Ｌｇthによって、対数変換されたＲ信号に対するＷＢ評価値ｗｒ２が、その差分値Ｌｇth−Ｌｒthとして求められる。
【００７１】
ＷＢ評価値演算部７４ｒ，７４ｂ，７５ｒ，７５ｂそれぞれにおいて、このような処理動作を行うことによって、ＷＢ評価値ｗｒ１，ｗｂ１，ｗｒ２，ｗｂ２が出力されると、ＷＢ評価値ｗｒ１，ｗｒ２が加重加算部７６ｒに与えられるとともに、ＷＢ評価値ｗｂ１，ｗｂ２が加重加算部７６ｂに与えられる。この加重加算部７６ｒ，７６ｂそれぞれに対して、全体制御部１３のマイコン１３２より、設定された固体撮像素子２のダイナミックレンジに応じた重み係数が与えられる。よって、加重加算部７６ｒにおいて、ＷＢ評価値ｗｒ１，ｗｒ２に対する重み係数ｘｒ，ｙｒが与えられるとき、ＷＢ評価値ｗｒが（５）式のように求められる。又、加重加算部７６ｒにおいて、ＷＢ評価値ｗｂ１，ｗｂ２に対する重み係数ｘｂ，ｙｂが与えられるとき、ＷＢ評価値ｗｂが（６）式のように求められる。
【００７２】
ｗｒ＝ｘｒ×ｗｒ１＋ｙｒ×ｗｒ２  …（５）
ｗｂ＝ｘｂ×ｗｂ１＋ｙｂ×ｗｂ２  …（６）
【００７３】
このようにして加重加算部７６ｒ，７６ｂで求められたＷＢ評価値ｗｒ，ｗｂは、全体制御部１３のマイコン１３２に与えられる。マイコン１３２では、このＷＢ評価値ｗｒ，ｗｂとダイナミックレンジデータに基づいて、ＷＢ制御部８に与える設定値を決定する。尚、本例において、加重加算部７６ｒ，７６ｂに与えられる重み係数ｘｒ，ｙｒ，ｘｂ，ｙｂは、設定された固体撮像素子２のダイナミックレンジに応じて設定されるものとしたが、被写体の輝度分布範囲又は輝度値などに応じてマイコン１３２が設定し、加重加算部７６ｒ，７６ｂに与えるものとしても構わない。又、重み係数ｘｒ，ｙｒ，ｘｂ，ｙｂが外部から設定されるものとしても構わない。
【００７４】
＜ＡＥ・ＷＢ評価値検出回路の第２例＞
図１のように構成される撮像装置におけるＡＥ・ＷＢ評価値検出回路７の第２例について、図面を参照して以下に詳細に説明する。図１３は、本例のＡＥ・ＷＢ評価値検出回路の内部構成を示すブロック図である。尚、図１３に示すＡＥ・ＷＢ評価値検出回路において、図８のＡＥ・ＷＢ評価値検出回路と同一の目的で使用する部分については、その詳細な説明を省略し、同一の符号を付す。
【００７５】
本例のＡＥ・ＷＢ評価値検出回路７は、図１３に示すように、光電変換特性判別部７１ｒ，７１ｇ，７１ｂと、平均値演算部７２ｒ，７２ｇ，７２ｂ，７３ｒ，７３ｇ，７３ｂと、ＷＢ評価値演算部７４ｒ，７４ｂ，７５ｒ，７５ｂと、加重加算部７６ｒ，７６ｂと、光電変換特性判別部７１ｒ，７１ｇ，７１ｂで確認された線形変換された信号及び対数変換された信号それぞれの総数を計数するとともにこれらの計数値によって重み係数ｘｒ，ｙｒ，ｘｂ，ｙｂを設定する重み係数設定部７７と、を備える。このＡＥ・ＷＢ評価値検出回路７においてＷＢ評価値ｗｒ，ｗｂが求められるとき、ＲＧＢフィルタが設けられた各画素に対してライン２５ｒ，２５ｇ，２５ｂより与えられる信号φＶPSの値が等しくなるように設定される。
【００７６】
このように構成されるとき、光電変換特性判別部７１ｒ，７１ｇ，７１ｂ、平均値演算部７２ｒ，７２ｇ，７２ｂ，７３ｒ，７３ｇ，７３ｂ、ＷＢ評価値演算部７４ｒ，７４ｂ，７５ｒ，７５ｂ、及び、加重加算部７６ｒ，７６ｂは、第１例におけるＡＥ・ＷＢ評価値検出回路（図８）と同様の動作を行う。即ち、光電変換特性判別部７１ｒ，７１ｇ，７１ｂでは、入力されるＲＧＢ信号の信号レベルと閾値レベルＶthとを比較して、対数変換された信号であるか、又は、線形変換された信号であるかを判別する。そして、光電変換特性判別部７１ｒ，７１ｇ，７１ｂで線形変換された信号であることが確認されたＲＧＢ信号が平均値演算部７２ｒ，７２ｇ，７２ｂに与えられ、その平均値ｒ１av，ｇ１av，ｂ１avが求められ、又、光電変換特性判別部７１ｒ，７１ｇ，７１ｂで対数変換された信号であることが確認されたＲＧＢ信号が平均値演算部７３ｒ，７３ｇ，７３ｂに与えられ、その平均値ｒ２av，ｇ２av，ｂ２avが求められる。
【００７７】
その後、ＷＢ評価値演算部７４ｒにおいて、平均値ｒ１av，ｇ１av及びＧ信号の光電変換特性に基づいて、線形変換されたＲ信号に対するＷＢ評価値ｗｒ１が求められるとともに、ＷＢ評価値演算部７５ｒにおいて、平均値ｒ２av，ｇ２av及びＧ信号の光電変換特性に基づいて、対数変換されたＲ信号に対するＷＢ評価値ｗｒ２が求められる。又、ＷＢ評価値演算部７４ｂにおいて、平均値ｇ１av，ｂ１av及びＧ信号の光電変換特性に基づいて、線形変換されたＢ信号に対するＷＢ評価値ｗｂ１が求められるとともに、ＷＢ評価値演算部７５ｂにおいて、平均値ｇ２av，ｂ２av及びＧ信号の光電変換特性に基づいて、対数変換されたＢ信号に対するＷＢ評価値ｗｂ２が求められる。そして、加重加算部７６ｒにおいて、重み係数設定部７７から与えられる重み係数ｘｒ，ｙｒを用いて、ＷＢ評価値ｗｒ１，ｗｒ２の加重加算を行うことで、ＷＢ評価値ｗｒが求められるとともに、加重加算部７６ｂにおいて、重み係数設定部７７から与えられる重み係数ｘｂ，ｙｂを用いて、ＷＢ評価値ｗｂ１，ｗｂ２の加重加算を行うことで、ＷＢ評価値ｗｂが求められる。
【００７８】
このようにＷＢ評価値ｗｒ，ｗｂを求める際、第１例と異なり、重み係数設定部７７において、加重加算部７６ｒ，７６ｂに与える重み係数ｘｒ，ｙｒ，ｘｂ，ｙｂが設定される。よって、以下では、この重み係数設定部７７の動作について、説明する。まず、光電変換特性判別部７１ｒ，７１ｇ，７１ｂよりＲＧＢ信号に対する判別結果が重み付け係数設定部７７に与えられると、与えられた判別結果に応じて、線形変換された信号の総数又は対数変換された信号の総数を計数する。よって、光電変換特性判別部７１ｒより平均値演算部７２ｒ，７３ｒそれぞれに送出されたＲ信号の総数がｎ１ｒ，ｎ２ｒであり、光電変換特性判別部７１ｇより平均値演算部７２ｇ，７３ｇそれぞれに送出されたＧ信号の総数がｎ１ｇ，ｎ２ｇであり、光電変換特性判別部７１ｂより平均値演算部７２ｂ，７３ｂそれぞれに送出されたＢ信号の総数がｎ１ｂ，ｎ２ｂであるとき、線形変換された信号の総数がｎ１（＝ｎ１ｒ＋ｎ１ｇ＋ｎ１ｂ）となり、又、対数変換された信号の総数がｎ２（＝ｎ２ｒ＋ｎ２ｇ＋ｎ２ｂ）となる。
【００７９】
そして、線形変換された信号の総数ｎ１と対数変換された信号の総数ｎ２との比によって、重み付け係数ｘｒ，ｙｒ，ｘｂ，ｙｂを設定する。このとき、例えば、ｘｒ＝ｘｂ＝ｎ１／（ｎ１＋ｎ２）、ｙｒ＝ｙｂ＝ｎ２／（ｎ１＋ｎ２）と設定するようにして、その総数が大きくなる信号に対する重み付け係数が大きくなるように設定する。このようにして重み付け係数ｘｒ，ｙｒ，ｘｂ，ｙｂが設定されると、重み付け係数ｘｒ，ｙｒが加重加算部７６ｒに与えられるとともに、重み付け係数ｘｂ，ｙｂが加重加算部７６ｂに与えられる。
【００８０】
尚、本例のＡＥ・ＷＢ評価値設定部７において、重み付け係数設定部７７で、ＲＧＢ信号全てを対象とする線形変換された信号の総数ｎ１と対数変換された信号の総数ｎ２とを用いて、重み付け係数ｘｒ，ｙｒ，ｘｂ，ｙｂが求められるものとしたが、ＲＧＢ信号それぞれを対象とする線形変換された信号の総数ｎ１ｒ，ｎ１ｇ，ｎ１ｂと対数変換された信号の総数ｎ２ｒ，ｎ２ｇ，ｎ２ｂとを用いて、重み付け係数ｘｒ，ｙｒ，ｘｂ，ｙｂが求められるものとしても構わない。このとき、重み付け係数ｘｒ，ｙｒが、線形変換されたＲ信号の総数ｎ１ｒと対数変換されたＲ信号の総数ｎ２ｒとの関係により求められるとともに、重み付け係数ｘｂ，ｙｂが、線形変換されたＢ信号の総数ｎ１ｂと対数変換されたＢ信号の総数ｎ２ｂとの関係により求められるものとしても構わない。又、重み付け係数ｘｒ，ｙｒが、線形変換されたＲＧ信号それぞれの総数ｎ１ｒ，ｎ１ｇと対数変換されたＲＧ信号の総数ｎ２ｒ，ｎ２ｇとの関係により求められるとともに、重み付け係数ｘｂ，ｙｂが、線形変換されたＧＢ信号の総数ｎ１ｇ，ｎ１ｂと対数変換されたＧＢ信号の総数ｎ２ｇ，ｎ２ｂとの関係により求められるものとしても構わない。
【００８１】
又、主被写体を検出するオートフォーカス（ＡＦ）機能を備えるとき、ＡＦ機能により検出した主被写体を中心とする領域の画素に対して、線形変換された信号を出力する画素数と対数変換された信号を出力する画素数との関係により、重み付け係数を設定するものとしても構わない。
【００８２】
又、上述の第１例及び第２例のＡＥ・ＷＢ評価値設定部７において、Ｇ信号の光電変換特性がＷＢ評価値演算部７４ｒ，７４ｂ，７５ｒ，７５ｂに与えられて、ＷＢ評価値ｗｒ１，ｗｂ１，ｗｒ２，ｗｂ２が求められるものとしたが、線形変換された信号の平均値における輝度値Ｌ１avがＷＢ評価値演算部７４ｒ，７４ｂに与えられるとともに、対数変換された信号の平均値における輝度値Ｌ２avがＷＢ評価値演算部７５ｒ，７５ｂに与えられて、ＷＢ評価値ｗｒ１，ｗｂ１，ｗｒ２，ｗｂ２が求められるものとしても構わない。
【００８３】
このとき、ＷＢ評価値演算部７４ｒでは、線形変換されたＲＧ信号それぞれの平均値ｒ１av，ｇ１avと輝度値Ｌ１avとの関係より、ＲＧ信号それぞれの光電変換特性を確認し、ＲＧ信号それぞれの閾値レベルＶthに相当する輝度値の差となるＷＢ評価値ｗｒ１を求める。同様に、ＷＢ評価値演算部７５ｒでは、対数変換されたＲＧ信号それぞれの平均値ｒ２av，ｇ２avと輝度値Ｌ２avとの関係より、ＲＧ信号それぞれの光電変換特性を確認し、ＷＢ評価値ｗｒ２を求める。同様に、ＷＢ評価値演算部７４ｂでは、線形変換されたＧＢ信号それぞれの平均値ｇ１av，ｂ１avと輝度値Ｌ１avとの関係より、ＧＢ信号それぞれの光電変換特性を確認し、ＷＢ評価値ｗｂ１を求め、又、ＷＢ評価値演算部７５ｂでは、対数変換されたＧＢ信号それぞれの平均値ｇ２av，ｂ２avと輝度値Ｌ２avとの関係より、ＧＢ信号それぞれの光電変換特性を確認し、ＷＢ評価値ｗｂ２を求める。
【００８４】
＜全体制御部による光電変換特性検出動作＞
以下に、全体制御部によるＲＧＢ信号の光電変換特性検出動作について説明する。ＡＥ・ＷＢ評価値設定部の第１例又は第２例のように動作して、ＡＥ・ＷＢ評価値設定部７においてＷＢ評価値ｗｒ，ｗｂが設定されると、図９のような構成の全体制御部１３のマイコン１３２に与えられる。マイコン１３２では、ＷＢ評価値ｗｒ，ｗｂを確認すると、ＷＢ評価値ｗｒ，ｗｂと固体撮像素子２に対して設定したダイナミックレンジの大きさに基づいて、メモリ１３３よりＲＧＢ信号それぞれに対する光電変換特性を読み出す。そして、マイコン１３２は、ＷＢ制御回路８においてホワイトバランス処理を行うためのデータテーブルを生成し、ＷＢ制御回路８に与える。
【００８５】
このとき、メモリ１３３には、Ｇ信号の光電変換特性が、固体撮像素子２のダイナミックレンジの大きさに応じて、例えば、図７のグラフのように離散的に格納され、又、ＲＢ信号それぞれの光電変換特性が、上記各ダイナミックレンジ毎にＷＢ評価値に応じて、例えば、図１４のグラフのように離散的に格納される。又、図７のグラフのように、Ｇ信号の光電変換特性として４種類の光電変換特性ａ１〜ａ４が格納され、図１４のグラフのように、ダイナミックレンジの大きさに対するＲＢ信号の光電変換特性として６種類の光電変換特性ｂ１〜ｂ６が格納されるとき、メモリ１３３内では、４×６種類の光電変換特性が格納されるものとなる。
【００８６】
このとき、光電変換特性の線形変換特性領域を表す（７）式におけるパラメータＡ，Ｃと、光電変換特性の対数変換特性領域を表す（８）式におけるパラメータα，βとが、メモリ１３３内に２４種類分格納される。尚、図１４は、図７における光電変換特性ａ２に応じたダイナミックレンジが選択されたときにおけるＧ信号の光電変換特性を基準としたものである。
【００８７】
Ｖ＝Ａ×Ｌ＋Ｃ  …（７）
Ｖ＝α×ｌｎ（Ｌ）＋β  …（８）
【００８８】
そして、固体撮像素子２が所定のダイナミックレンジを持つように設定されたとき、選択されたダイナミックレンジに応じたＧ信号の光電変換特性をメモリ１３３より読み出す。又、ＡＥ・ＷＢ評価値検出回路７よりＷＢ評価値ｗｒ，ｗｂが与えられたとき、選択されたダイナミックレンジとＷＢ評価値ｗｒに応じたＲ信号の光電変換特性と、選択されたダイナミックレンジとＷＢ評価値ｗｂに応じたＢ信号の光電変換特性と、をメモリ１３３より読み出す。即ち、図７における光電変換特性ａ２に応じたダイナミックレンジとなるように固体撮像素子２をセンサ駆動部１３１が駆動制御するとき、まず、メモリ１３３よりＧ信号の光電変換特性として光電変換特性ａ２が読み出される。そして、ΔＬ１となるＷＢ評価値ｗｒと、−ΔＬ２となるＷＢ評価値ｗｂが与えられると、Ｒ信号の光電変換特性として光電変換特性ｂ４が、又、Ｂ信号の光電変換特性として光電変換特性ｂ２がそれぞれ、メモリ１３３より読み出される。
【００８９】
このようにして、ＲＧＢ信号それぞれの光電変換特性が確認されると、ＲＢ信号の光電変換特性における線形変換特性から対数変換特性に切り替わる輝度値をＧ信号において切り替わる輝度値Ｌｇthに設定し、輝度値Ｌｇthに対するＲＢ信号それぞれの信号レベルＶｒth，Ｖｂthを閾値レベルとして求める。即ち、Ｒ信号の光電変換特性の線形変換特性領域において（９）式が成り立つとともに、Ｂ信号の光電変換特性の線形変換特性領域において（１０）式が成り立つとき、Ｒ信号の閾値レベルＶｒth（＝Ａｒ×Ｌｇth＋Ｃ）とＢ信号の閾値レベルＶｂth（＝Ａｂ×Ｌｇth＋Ｃ）が求められる。又、Ｇ信号の閾値レベルＶｇthは、ダイナミックレンジ制御信号より確認される光電変換特性の閾値レベルＶthとされる。
【００９０】
Ｖ＝Ａｒ×Ｌ＋Ｃ  …（９）
Ｖ＝Ａｂ×Ｌ＋Ｃ  …（１０）
【００９１】
このようにして、ＲＢ信号の閾値レベルＶｒth，Ｖｂthが求められると、ＲＢ信号の光電変換特性の対数変換特性領域が求められる。ＷＢ評価値ｗｒとＧ信号の光電変換特性よりＲ信号の光電変換特性の対数変換特性が（１１）式のような関係となることが確認されるとき、Ｒ信号の閾値レベルＶｒthが求められると、Ｒ信号の光電変換特性の対数変換特性が（１２）式のような関係となる。又、ＷＢ評価値ｗｂとＧ信号の光電変換特性よりＢ信号の光電変換特性の対数変換特性が（１３）式のような関係となることが確認されるとき、Ｂ信号の閾値レベルＶｂthが求められると、Ｂ信号の光電変換特性の対数変換特性が（１４）式のような関係となる。
【００９２】
Ｖ＝α×ｌｎ（Ｌ）＋βｒ  …（１１）
Ｖ＝α×ｌｎ（Ｌ）＋βｒ＋Ｖｒth−Ｖth  …（１２）
Ｖ＝α×ｌｎ（Ｌ）＋βｂ  …（１３）
Ｖ＝α×ｌｎ（Ｌ）＋βｂ＋Ｖｂth−Ｖth  …（１４）
【００９３】
このようにすることで、線形変換特性領域が（９）式のような関係となるとともに対数変換特性領域が（１２）式のような関係となるような光電変換特性がＲ信号に対して得られるように、固体撮像素子２のＲフィルタを備えた画素に対する信号φＶPSの電圧値ＶＬ又は電圧値ＶＨを設定する。又、線形変換特性領域が（１０）式のような関係となるとともに対数変換特性領域が（１４）式のような関係となるような光電変換特性がＢ信号に対して得られるように、固体撮像素子２のＢフィルタを備えた画素に対する信号φＶPSの電圧値ＶＬ又は電圧値ＶＨを設定する。更に、線形変換特性領域が（１５）式のような関係となるとともに対数変換特性領域が（１６）式のような関係となるような光電変換特性がＧ信号に対して得られるように、固体撮像素子２のＧフィルタを備えた画素に対する信号φＶPSの電圧値ＶＬ又は電圧値ＶＨを設定する。
【００９４】
Ｖ＝Ａｇ×Ｌ＋Ｃ  …（１５）
Ｖ＝α×ｌｎ（Ｌ）＋βｇ  …（１６）
【００９５】
又、上述のようにして設定した（９）式によるＲ信号の光電変換特性と（１５）式によるＧ信号の光電変換特性とに基づいて、Ｒ信号の線形変換部分に対するホワイトバランス処理を行うためのパラメータＳｒ１（＝Ａｇ／Ａｒ）が、又、上述のようにして設定した（１２）式によるＲ信号の光電変換特性と（１６）式によるＧ信号の光電変換特性とに基づいて、Ｒ信号の対数変換部分に対するホワイトバランス処理を行うためのパラメータＳｒ２（＝βｇ−βｒ−Ｖｒth＋Ｖth）が、それぞれ求められる。同様に、上述のようにして設定した（１０）式によるＢ信号の光電変換特性と（１５）式によるＧ信号の光電変換特性とに基づいて、Ｂ信号の線形変換部分に対するホワイトバランス処理を行うためのパラメータＳｂ１（＝Ａｇ／Ａｂ）が、又、上述のようにして設定した（１４）式によるＢ信号の光電変換特性と（１６）式によるＧ信号の光電変換特性とに基づいて、Ｂ信号の対数変換部分に対するホワイトバランス処理を行うためのパラメータＳｂ２（＝βｇ−βｂ−Ｖｂth＋Ｖth）が、それぞれ求められる。このようにして求められたパラメータＳｒ１，Ｓｒ２，Ｓｂ１，Ｓｂ２が、ＲＢ信号の閾値レベルＶｒth，ＶｂthとともにＷＢ制御回路８に与えられる。
【００９６】
このとき、例えば、上述のように、ダイナミックレンジ制御信号とＷＢ評価値ｗｒ，ｗｂから、ＲＧＢ信号の光電変換特性がそれぞれ、光電変換特性ｂ４，ａ２，ｂ２となるものと確認されたとき、図１５のように、閾値レベルＶthとなるＲＧＢ信号の輝度値Ｌｒth，Ｌｇth，Ｌｂthの関係が、Ｌｒth＞Ｌｇth＞Ｌｂthとなる。そして、ＲＢ信号の光電変換特性が切り替わる輝度値をＬｇthとしてＲＢ信号の光電変換特性を変更したとき、図１６のように、ＲＧＢ信号の閾値レベルＶｒth，Ｖｇth，Ｖｂthの関係が、Ｖｒth＜Ｖｇth＜Ｖｂthとなる。このように、同一の輝度値でＲＧＢ信号の光電変換特性が切り替わるように、固体撮像素子２のＲＧＢフィルタそれぞれを備えた画素に与える信号φＶPSが設定されるため、ＲＧＢ信号それぞれの線形変換特性領域及び対数変換特性領域が同一の輝度範囲となり、異なる色信号の間で、その線形変換特性領域と対数変換特性領域が重なる輝度範囲がなくなる。
【００９７】
尚、固体撮像素子２のダイナミックレンジを離散的に切り換えるものとして、以上のように説明したが、固体撮像素子２のダイナミックレンジを連続的に切り換える場合においては、次のような動作処理を行うようにしても構わない。まず、メモリ１３３には、固体撮像素子２のダイナミックレンジを離散的に切り換える場合と同様、複数段階の光電変換特性を格納する。そして、設定された固体撮像素子２のダイナミックレンジの値（例えば、信号φＶPSの電圧値ＶＬ）が、離散的に設定された２つのダイナミックレンジの間の値となるとき、離散的に設定された２つのダイナミックレンジに対する２つの光電変換特性をメモリ１３３から読み出す。
【００９８】
そして、固体撮像素子２に対して設定されたダイナミックレンジの値（例えば、信号φＶPSの電圧値ＶＬ）と離散的に設定された２つのダイナミックレンジの値との関係より、メモリ１３３より読み出して２つの光電変換特性の各係数（（７）式のＡ及び（８）式のα，β）を補間処理することで、新たな光電変換特性を生成する。そして、このように生成した光電変換特性を、現在固体撮像素子２に対して設定しているダイナミックレンジに対するＧ信号の光電変換特性として用いる。
【００９９】
即ち、例えば、図７のグラフのように、固体撮像素子２の光電変換特性ａ１〜ａ４に対する４種類のデータテーブルがメモリ１３３に格納されているとともに、光電変換特性ａ２，ａ３の間となる光電変換特性となるダイナミックレンジが固体撮像素子２に対して設定されるものとする。このとき、光電変換特性ａ２，ａ３を補間処理することで、現在固体撮像素子２に対して設定されているダイナミックレンジに対する光電変換特性ａｘが、図１７のように求められ、Ｇ信号の光電変換特性として用いられる。このようにして求められたＧ信号の光電変換特性とＷＢ評価値ｗｒ，ｗｂとを用いて、ＲＢ信号の光電変換特性それぞれを求める。尚、このとき、Ｇ信号の光電変換特性と、ＷＢ評価値ｗｒ，ｗｂから得られる閾値レベルＶthでの輝度差を用いてＲＢ信号の光電変換特性が逆算されるものとしても構わない。
【０１００】
上述の説明においては、ＲＧＢ信号それぞれの光電変換特性をメモリ１３３に格納しているが、Ｇ信号の光電変換特性のみをメモリ１３３に格納し、ＲＢ信号の光電変換特性は前述のＷＢ評価値ｗｒ、ｗｂより演算で求めるようにしても良い。例えば、Ｒ信号に関して光電変換特性の線形特性領域を表す（７）式におけるパラメータＡ（Ａｒ）は以下の（１７）〜（１９）式より算出することができる。
【０１０１】
Ｖth＝Ａｇ×Ｌｇ＋Ｃ  …（１７）
Ｖth＝Ａｒ×（Ｌｇ＋ｗｒ）＋Ｃ  …（１８）
（１７）、（１８）式より
Ａｒ＝（Ａｇ×Ｌｇ）／（Ｌｇ＋ｗｒ）  …（１９）
但し、ＡｇはＧ信号に対する光電変換係数、ＬｇはＧ信号の輝度を示す。
【０１０２】
又、Ｒ信号の対数特性領域についても同様に、演算により求めることができ、更に、Ｂ信号に関する光電変換特性もＲ信号同様、演算により求めることができる。このように、演算により光電変換特性を求めた場合、精度の高いホワイトバランス処理を行うことができる。
【０１０３】
＜ＷＢ制御回路の第１例＞
図１のように構成される撮像装置におけるＷＢ制御回路の第１例について、図面を参照して以下に詳細に説明する。図１８は、本例のＷＢ制御回路の内部構成を示すブロック図である。尚、本例のＷＢ制御回路８は、全体制御部１３によるパラメータＳｒ１，Ｓｒ２，Ｓｂ１，Ｓｂ２及び閾値レベルＶｒth，Ｖｂthが与えられる。
【０１０４】
本例のＷＢ制御回路８は、図１８に示すように、ＦＰＮ補正回路６でＦＰＮ成分が除去されたＲ信号の光電変換特性が線形変換特性であるか対数変換特性であるかを識別する比較器８１ｒと、ＦＰＮ補正回路６でＦＰＮ成分が除去されたＢ信号の光電変換特性が線形変換特性であるか対数変換特性であるかを識別する比較器８１ｂと、線形変換特性となるＲＢ信号それぞれにパラメータＳｒ１，Ｓｂ１を乗算する乗算器８２ｒ，８２ｂと、対数変換特性となるＲＢ信号それぞれにパラメータＳｒ２，Ｓｂ２を加算する加算器８３ｒ，８３ｂと、乗算器８２ｒからのＲ信号及び加算器８３ｒからのＲ信号のいずれかを選択して出力する選択部８４ｒと、乗算器８２ｂからのＢ信号及び加算器８３ｂからのＢ信号のいずれかを選択して出力する選択部８４ｂと、選択部８４ｒ，８４ｂそれぞれから出力されるＲＢ信号とＦＰＮ補正回路６でＦＰＮ成分が除去されたＧ信号との出力タイミングを調整するタイミング調整部８５と、を備える。
【０１０５】
このように構成されるＷＢ制御回路８は、全体制御部１３でパラメータＳｒ１，Ｓｒ２，Ｓｂ１，Ｓｂ２及び閾値レベルＶｒth，Ｖｂthが設定されると、閾値レベルＶｒth，Ｖｂthがそれぞれ比較器８１ｒ，８１ｂに与えられ、パラメータＳｒ１，Ｓｂ１がそれぞれ乗算器８２ｒ，８２ｂに与えられ、パラメータＳｒ２，Ｓｂ２がそれぞれ加算器８３ｒ，８３ｂが与えられる。その後、ＦＰＮ補正回路６からＲ信号が与えられると、このＲ信号が比較器８１ｒ及び乗算器８２ｒ及び加算器８３ｒに入力される。
【０１０６】
そして、比較器８１ｒでは、入力されるＲ信号の信号レベルＶｒを閾値レベルＶｒthと比較する。又、乗算器８２ｒにおいてＲ信号の信号レベルＶｒに対してパラメータＳｒ１を乗算し、加算器８３ｒにおいてＲ信号の信号レベルＶｒに対してパラメータＳｒ２を加算する。このとき、信号Ｒの信号レベルＶｒが閾値レベルＶｒth以下であるとき、比較器８１ｒでＲ信号の光電変換特性が線形変換特性であることが確認されるため、選択部８４ｒによって乗算器８２ｒからのＲ信号が選択される。又、信号Ｒの信号レベルＶｒが閾値レベルＶｒthより大きいとき、比較器８１ｒでＲ信号の光電変換特性が対数変換特性であることが確認されるため、選択部８４ｒによって加算器８３ｒからのＲ信号が選択される。
【０１０７】
同様に、ＦＰＮ補正回路６からＢ信号が与えられると、このＢ信号が比較器８１ｂ及び乗算器８２ｂ及び加算器８３ｂに入力される。そして、比較器８１ｂでは、入力されるＢ信号の信号レベルＶｂを閾値レベルＶｂthと比較する。又、乗算器８２ｂにおいてＢ信号の信号レベルＶｂに対してパラメータＳｂ１を乗算し、加算器８３ｂにおいてＢ信号の信号レベルＶｂに対してパラメータＳｂ２を加算する。このとき、信号Ｂの信号レベルＶｂが閾値レベルＶｂth以下であるとき、比較器８１ｂでＢ信号の光電変換特性が線形変換特性であることが確認されるため、選択部８４ｂによって乗算器８２ｂからのＢ信号が選択される。又、信号Ｂの信号レベルＶｂが閾値レベルＶｂthより大きいとき、比較器８１ｂでＢ信号の光電変換特性が対数変換特性であることが確認されるため、選択部８４ｂによって加算器８３ｂからのＢ信号が選択される。
【０１０８】
このように動作することで、輝度値がＬｇth以下となる輝度範囲を表すＲＢ信号それぞれの光電変換特性が、Ｇ信号の線形変換特性と同等のものに切り換えられるとともに、輝度値がＬｇthより高い輝度範囲を表すＲＢ信号それぞれの光電変換特性が、Ｇ信号の対数変換特性と同等のものに切り換えられ、ＲＢ信号それぞれにホワイトバランス処理が施される。そして、選択部８４ｒ，８４ｂそれぞれからホワイトバランス処理後の信号レベルに変換されたＲＢ信号と、ＦＰＮ補正回路６でＦＰＮ補正されたＧ信号とが、タイミング調整部８５に入力される。このタイミング調整部８５では、選択部８４ｒ，８４ｂから出力され変換処理されたＲＢ信号と、変換処理が行われることのないＧ信号とを出力するためのタイミングを調整する。このように出力タイミングが調整されたＲＧＢ信号が後段の色補間回路９に出力され、後段の各回路で各画素に応じた信号処理を行うことができる。
【０１０９】
＜ＷＢ制御回路の第２例＞
図１のように構成される撮像装置におけるＷＢ制御回路の第２例について、図面を参照して以下に詳細に説明する。図１９は、本例のＷＢ制御回路の内部構成を示すブロック図である。尚、本例のＷＢ制御回路８は、全体制御部１３によるパラメータＳｒ１，Ｓｒ２，Ｓｂ１，Ｓｂ２及び閾値レベルＶｒth，Ｖｂthが与えられる。
【０１１０】
本例のＷＢ制御回路８は、図１９に示すように、ＦＰＮ補正回路６でＦＰＮ成分が除去されたＲＢ信号の光電変換特性が線形変換特性であるか対数変換特性であるかを閾値レベルＶｘthに基づいて識別する比較器８１と、線形変換特性となるＲＢ信号それぞれにパラメータＳ１を乗算する乗算器８２と、対数変換特性となるＲＢ信号それぞれにパラメータＳ２を加算する加算器８３と、乗算器８２からのＲＢ信号及び加算器８３からのＲＢ信号及びＦＰＮ補正回路６からのＧ信号のいずれかを選択して出力する選択部８４と、ＦＰＮ補正回路６でＦＰＮ成分が除去されたＲＧＢ信号を検出するＲＧＢ検出部８６と、ＲＧＢ検出部での検出結果より閾値レベルＶｘthとパラメータＳ１，Ｓ２を設定するパラメータ設定部８７と、ＲＧＢ検出部８６の検出結果と比較器８１の比較結果により選択部８４の選択動作を制御する選択制御部８８と、を備える。
【０１１１】
このように構成されるＷＢ制御回路８は、全体制御部１３でパラメータＳｒ１，Ｓｒ２，Ｓｂ１，Ｓｂ２及び閾値レベルＶｒth，Ｖｂthが設定されると、パラメータ設定部８７に与えられて格納する。そして、ＦＰＮ補正回路６から入力された信号がＲ信号であることがＲＧＢ信号検出部８６で検出されると、閾値レベルＶｘthをＶｒthとするとともにパラメータＳ１，Ｓ２をＳｒ１，Ｓｒ２とし、又、ＦＰＮ補正回路６から入力された信号がＢ信号であることがＲＧＢ信号検出部８６で検出されると、閾値レベルＶｘthをＶｂthとするとともにパラメータＳ１，Ｓ２をＳｂ１，Ｓｂ２とする。
【０１１２】
よって、ＲＧＢ検出部８６でＲ信号が検出されると、比較器８１において入力されるＲ信号の信号レベルＶｒを閾値レベルＶｒthと比較し、又、乗算器８２においてＲ信号の信号レベルＶｒに対してパラメータＳｒ１を乗算し、加算器８３においてＲ信号の信号レベルＶｒに対してパラメータＳｒ２を加算する。又、選択制御部８８において、選択部８４が乗算器８２又は加算器８３からの出力を選択するように制御する。即ち、比較器８１の比較結果がＶｒ≦Ｖｒthであるときは、選択部８４が乗算器８２からのＲ信号を選択するように、又、比較器８１の比較結果がＶｒ＞Ｖｒthであるときは、選択部８４が加算器８３からのＲ信号を選択するように、選択制御部８８が選択部８４を制御する。
【０１１３】
同様に、ＲＧＢ検出部８６でＢ信号が検出されると、比較器８１において入力されるＢ信号の信号レベルＶｂを閾値レベルＶｂthと比較し、又、乗算器８２においてＢ信号の信号レベルＶｂに対してパラメータＳｂ１を乗算し、加算器８３においてＢ信号の信号レベルＶｂに対してパラメータＳｂ２を加算する。又、選択制御部８８において、選択部８４が乗算器８２又は加算器８３からの出力を選択するように制御する。即ち、比較器８１の比較結果がＶｂ≦Ｖｂthであるときは、選択部８４が乗算器８２からのＢ信号を選択するように、又、比較器８１の比較結果がＶｂ＞Ｖｂthであるときは、選択部８４が加算器８３からのＢ信号を選択するように、選択制御部８８が選択部８４を制御する。更に、ＲＧＢ検出部８６でＧ信号が検出されると、選択制御部８８によって選択部８４がＦＰＮ補正回路６からのＧ信号を選択するように制御される。
【０１１４】
このように動作することで、輝度値がＬｇth以下となる輝度範囲を表すＲＢ信号それぞれの光電変換特性が、Ｇ信号の線形変換特性と同等のものに切り換えられるとともに、輝度値がＬｇthより高い輝度範囲を表すＲＢ信号それぞれの光電変換特性が、Ｇ信号の対数変換特性と同等のものに切り換えられ、ＲＢ信号それぞれにホワイトバランス処理が施される。そして、ホワイトバランス処理が施されたＲＢ信号と、ＦＰＮ補正回路６でＦＰＮ補正されたＧ信号とが、選択部８４で選択して出力される。
【０１１５】
上述のようにして、ＡＥ・ＷＢ評価値検出回路７、ＷＢ制御回路８及び全体制御部１３が動作することで、ホワイトバランス処理が施されるとき、所定数のフレーム毎に１フレームだけ、ＡＥ・ＷＢ評価値検出回路７及び全体制御部１３によって、ホワイトバランス処理で用いるパラメータ及び閾値レベルと固体撮像素子２のＲＧＢフィルタそれぞれを備えた画素の光電変換特性とを設定するものとしても構わない。即ち、所定数のフレーム毎に１フレームのときだけ、図１５のようにＲＧＢ信号の閾値レベルが等しくなるように固体撮像素子２の各画素に与える信号φＶPSを同一のものとする。そして、他のフレームのときは、図１６のようにＲＧＢ信号の光電変換特性が切り替わる輝度値が等しくなるように、固体撮像素子２のＲＧＢフィルタが設けられた各画素に対してライン２５ｒ，２５ｇ，２５ｂを介して与える信号φＶPSを異なるものとする。
【０１１６】
尚、ホワイトバランス処理で用いるパラメータ及び閾値レベルを設定するように、撮像装置のユーザによって外部から入力されたとき、図１５のようにＲＧＢ信号の閾値レベルが等しくなるように固体撮像素子２の各画素に与える信号φＶPSを同一のものとして、パラメータ及び閾値レベルやライン２５ｒ，２５ｇ，２５ｂを介して与える信号φＶPSの値を設定するものとしても構わない。又、太陽光やタングステン光や蛍光灯などの撮影環境に応じたパラメータ及び閾値レベルやライン２５ｒ，２５ｇ，２５ｂを介して与える信号φＶPSの値が予め設定され、撮像装置のユーザによって撮影環境が外部から入力されたとき、その入力されたパラメータ及び閾値レベルやライン２５ｒ，２５ｇ，２５ｂを介して与える信号φＶPSの値を設定するものとしても構わない。
【０１１７】
尚、本実施形態において、固体撮像素子を画像信号からノイズ信号を減算することで素子内で画素バラツキを除去するように動作するものとし、ＦＰＮ補正回路において画像信号内に更に残存するＦＰＮ成分を除去するようにしたが、固体撮像素子においてノイズ信号の読み出しを行うことなく、ＦＰＮ補正回路において画素バラツキなどにより発生するＦＰＮ成分全てを除去するようにしても構わない。
【０１１８】
又、本実施形態において、複数種類の色フィルタを１つの固体撮像素子に設けた単板の固体撮像素子としたが、例えば、ＲＧＢの色フィルタ毎に固体撮像素子を備えた三板の固体撮像素子のように、同一の色フィルタが備えられた固体撮像素子を色フィルタの種類毎に備える構成としても構わない。このとき、図２０のように、図１の固体撮像素子２の代わりに、全画素にＲフィルタが備えられた固体撮像素子２ｒと、全画素にＧフィルタが備えられた固体撮像素子２ｇと、全画素にＢフィルタが備えられた固体撮像素子２ｂとが設けられる。よって、固体撮像素子２ｒの全画素に対してライン２５ｒが接続され、又、固体撮像素子２ｇの全画素に対してライン２５ｇが接続され、又、固体撮像素子２ｂの全画素に対してライン２５ｂが接続される。
【図面の簡単な説明】
【０１１９】
【図１】は、本発明の実施形態である撮像装置の構成を示すブロック図である。
【図２】は、固体撮像素子に設けられる色フィルタの配列を示す図である。
【図３】は、コアリング回路におけるエッジ成分に対するレベル変換特性を示すグラフである。
【図４】は、固体撮像素子の全体の構成を説明するための回路ブロック図。
【図５】は、図４の固体撮像素子を構成する画素の一構成例を示す回路図である。
【図６】は、図５の画素の動作を示すタイミングチャートである。
【図７】は、被写体の輝度と画素の出力との関係を示すグラフである。
【図８】は、ＡＥ・ＷＢ評価値検出回路の内部構成の一例を示すブロック図である。
【図９】は、全体制御部の内部構成を示すブロック図である。
【図１０】は、ＲＧＢ信号の輝度値と信号レベルとの関係を示すグラフである。
【図１１】は、ＷＢ評価値演算部の動作を示すための図である。
【図１２】は、ＷＢ評価値演算部の動作を示すための図である。
【図１３】は、ＡＥ・ＷＢ評価値検出回路の内部構成の他の例を示すブロック図である。
【図１４】は、全体制御部のメモリ内に格納されるＲＢ信号の光電変換特性の一例を示す図である。
【図１５】は、検出されたＲＧＢ信号の光電変換特性の関係を示す図である。
【図１６】は、光電変換特性検出後に変換されたＲＧＢ信号の光電変換特性の関係を示す図である。
【図１７】は、光電変換特性の生成動作を説明するための図である。
【図１８】は、ＷＢ制御回路の内部構成の一例を示すブロック図である。
【図１９】は、ＷＢ制御回路の内部構成の他の例を示すブロック図である。
【図２０】は、本発明の実施形態である撮像装置の別の構成を示すブロック図である。
【符号の説明】
【０１２０】
１    光学系
２    固体撮像素子
３    アンプ
４    ＡＤ変換回路
５    黒基準補正回路
６    ＦＰＮ補正回路
７    ＡＥ・ＷＢ評価値検出回路
８    ＷＢ制御回路
９    色補間回路
１０    色補正回路
１１    階調変換回路
１２    コアリング回路
１３    全体制御部
１４    絞り制御部
１５    タイミング生成回路
【図１】
2005086684.tif 000003
【図２】
2005086684.tif 000004
【図３】
2005086684.tif 000005
【図４】
2005086684.tif 000006
【図５】
2005086684.tif 000007
【図６】
2005086684.tif 000008
【図７】
2005086684.tif 000009
【図８】
2005086684.tif 000010
【図９】
2005086684.tif 000011
【図１０】
2005086684.tif 000012
【図１１】
2005086684.tif 000013
【図１２】
2005086684.tif 000014
【図１３】
2005086684.tif 000015
【図１４】
2005086684.tif 000016
【図１５】
2005086684.tif 000017
【図１６】
2005086684.tif 000018
【図１７】
2005086684.tif 000019
【図１８】
2005086684.tif 000020
【図１９】
2005086684.tif 000021
【図２０】
2005086684.tif 000022